(57)【要約】【課題】警報履歴データと保守予定又は保守実績を示す保守データとを関連付けて管理することを容易に行う。【解決手段】複数の運用履歴データを一覧表示するための運用履歴画面Ｇ１を生成してディスプレイに表示し、運用履歴画面Ｇ１に一覧表示された複数の運用履歴データに含まれる警報履歴データのうちいずれか１の警報履歴データを選択する操作を受け付けた場合、１の警報履歴データに対応する保守の予定及び実績を示す保守データを入力するための保守登録画面Ｇ２をディスプレイ３４に表示し、保守登録画面Ｇ２に入力された保守データを１の警報履歴データと環境試験器２と関連付けた関連付けデータをサーバ１に送信する。【選択図】図１
2020038464.tif 000002
【特許請求の範囲】
【請求項１】
１以上の環境形成装置とネットワークを介して接続され得るサーバ及び端末装置を備える情報管理システムであって、
前記サーバは、各前記環境形成装置で発生した警報を示す警報履歴データを含む運用履歴データを蓄積する運用履歴データベースを備え、
前記端末装置は、
前記運用履歴データベースに蓄積された複数の前記運用履歴データを前記サーバから受信する通信部と、
受信された前記複数の前記運用履歴データを一覧表示するための第１表示画面を生成する表示制御部と、
前記第１表示画面を表示するディスプレイと、
前記第１表示画面に一覧表示された前記複数の前記運用履歴データに含まれる前記警報履歴データのうちいずれか１の前記警報履歴データを選択する操作を受け付ける操作部とを備え、
前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを、前記通信部を介して前記サーバに送信し、
前記サーバは、前記環境形成装置から送信された前記関連付けデータを受信し、前記運用履歴データベースを更新する、
情報管理システム。
【請求項２】
前記表示制御部は、前記第２表示画面において、１の前記保守データに関連する関連ファイルを選択する操作が前記操作部により受け付けられた場合、選択された前記関連ファイルが前記１の前記保守データに更に関連付けられた前記関連付けデータを、前記通信部を介して前記サーバに送信する、
請求項１記載の情報管理システム。
【請求項３】
前記表示制御部は、前記第２表示画面において、前記警報履歴データを一覧表示する第３表示画面の表示を選択する操作が前記操作部により受け付けられた場合、前記第３表示画面を前記ディスプレイに表示させ、前記第３表示画面において１の前記警報履歴データを選択する操作が前記操作部により受け付けられた場合、前記１の前記警報履歴データを前記第２表示画面において入力された前記保守データと前記環境形成装置に関連付けた前記関連付けデータを、前記通信部を介して前記サーバに送信する、
請求項１又は２記載の情報管理システム。
【請求項４】
前記第１表示画面は、各前記警報履歴データの内容を表示する内容表示欄を備え、
前記表示制御部は、１の前記内容表示欄を選択する操作を前記操作部が受け付けた場合、前記１の前記内容表示欄に対応する警報の対応方法を説明する説明画面を前記ディスプレイに表示する、
請求項１〜３のいずれかに記載の情報管理システム。
【請求項５】
前記表示制御部は、前記第１表示画面と第４表示画面との表示が選択可能な初期画面を更に表示し、
前記第４表示画面は、前記運用履歴データベースに記憶されている前記保守データを一覧表示するための表示画面であり、前記初期画面において前記第４表示画面の表示を選択する操作が前記操作部により受け付けられた場合に表示され、
前記第１表示画面は、前記初期画面において、前記第１表示画面の表示を選択する操作を前記操作部が受け付けた場合に表示される、
請求項１〜４のいずれかに記載の情報管理システム。
【請求項６】
前記第２表示画面は、前記保守が対応済みか否かを示す状態の入力欄を含む、
請求項１〜５のいずれかに記載の情報管理システム。
【請求項７】
前記運用履歴データは、更に、前記環境形成装置の動作状態を示す動作履歴データを含み、
前記第１表示画面は、前記運用履歴データの種別を絞り込むための第１条件入力欄を備え、
前記表示制御部は、前記第１条件入力欄に入力された種別の条件にしたがって、前記保守データ、前記警報履歴データ、及び前記動作履歴データのいずれか１又は複数を前記第１表示画面に一覧表示する、
請求項１〜６のいずれかに記載の情報管理システム。
【請求項８】
前記保守データは前記保守が対応済みか否かを示す状態の項目を含み、
前記第４表示画面は、前記保守データの前記状態を絞り込むための第２条件入力欄を備え、
前記表示制御部は、前記第２条件入力欄に入力された前記状態の条件にしたがって前記保守が対応済みの前記保守データ及び前記保守が未対応の前記保守データのいずれか１又は両方を前記第４表示画面に一覧表示する、
請求項５記載の情報管理システム。
【請求項９】
１以上の環境形成装置とネットワークを介して接続され得るサーバ及び端末装置を備える情報管理システムにおける情報処理方法であって、
前記サーバは、各前記環境形成装置で発生した警報を示す警報履歴データを含む運用履歴データを蓄積する運用履歴データベースを備え、
前記端末装置は、
前記運用履歴データベースに蓄積された複数の前記運用履歴データを前記サーバから受信し、
受信した前記複数の前記運用履歴データを一覧表示するための第１表示画面を生成してディスプレイに表示し、
前記第１表示画面に一覧表示された前記複数の前記運用履歴データに含まれる前記警報履歴データのうちいずれか１の前記警報履歴データを選択する操作を受け付けた場合、前記１の前記警報履歴データに対応する保守に関する情報を示す保守データを入力するための第２表示画面を前記ディスプレイに表示し、
前記第２表示画面に入力された前記保守データを前記１の前記警報履歴データと前記環境形成装置に関連付けた関連付けデータを前記サーバに送信し、
前記サーバは、前記環境形成装置から送信された前記関連付けデータを受信し、前記運用履歴データベースを更新する、
情報管理方法。
【請求項１０】
１以上の環境形成装置とネットワークを介して接続され得るサーバ及び端末装置を備える情報管理システムで使用され得る端末装置であって、
各前記環境形成装置で発生した警報を示す警報履歴データを含む運用履歴データを蓄積する運用履歴データベースに蓄積された複数の前記運用履歴データを前記サーバから受信する通信部と、
受信された前記複数の前記運用履歴データを一覧表示するための第１表示画面を生成する表示制御部と、
前記第１表示画面を表示するディスプレイと、
前記第１表示画面に一覧表示された前記複数の前記運用履歴データに含まれる前記警報履歴データのうちいずれか１の前記警報履歴データを選択する操作を受け付ける操作部とを備え、
前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを、前記通信部を介して前記サーバに送信する、
端末装置。
【請求項１１】
１以上の環境形成装置とネットワークを介して接続され得るサーバ及び端末装置を備える情報管理システムで使用され得るサーバであって、
各前記環境形成装置で発生した警報を示す警報履歴データを含む運用履歴データを蓄積する運用履歴データベースと、
前記端末装置から送信された関連付けデータを受信する通信部と、
受信した前記関連付けデータで前記運用履歴データベースを更新する制御部とを備え、
前記関連付けデータは、１の前記警報履歴データに各前記環境形成装置の保守に関する保守データと前記環境形成装置とが関連付けられたデータである、
サーバ。
【請求項１２】
請求項９記載の情報管理方法をコンピュータに実行させる情報管理プログラム。
【請求項１３】
１以上の環境形成装置とネットワークを介して接続され得るサーバ及び端末装置を備える情報管理システムであって、
前記サーバは、各前記環境形成装置で発生した警報を示す警報履歴データと各前記環境形成装置に対する保守に関する情報を示す保守データとを含む複数の運用履歴データを蓄積する運用履歴データベースを備え、
前記端末装置は、
前記運用履歴データベースに蓄積された複数の前記運用履歴データを前記サーバから受信する通信部と、
受信された前記複数の前記運用履歴データのうち前記保守データを一覧表示するための第１表示画面を生成する表示制御部と、
前記第１表示画面を表示するディスプレイと、
前記第１表示画面に一覧表示された前記保守データのうちいずれか１の前記保守データを選択する操作を受け付ける操作部とを備え、
前記表示制御部は、前記操作部が前記１の前記保守データを選択する操作を受け付けた場合、前記警報履歴データを一覧表示する第２表示画面を前記ディスプレイに表示し、前記第２表示画面において１の前記警報履歴データを選択する操作が前記操作部により受け付けられた場合、前記１の前記警報履歴データを前記１の前記保守データと前記環境形成装置に関連付けた関連付けデータを、前記通信部を介して前記サーバに送信し、
前記サーバは、前記環境形成装置から送信された前記関連付けデータを受信し、前記運用履歴データベースを更新する、
情報管理システム。
【請求項１４】
１以上の環境形成装置とネットワークを介して接続され得る端末装置を備える情報管理システムであって、
前記端末装置は、各前記環境形成装置で発生した警報を示す警報履歴データを含む運用履歴データを蓄積する運用履歴データベースと、
複数の前記運用履歴データを一覧表示するための第１表示画面を生成する表示制御部と、
前記第１表示画面を表示するディスプレイと、
前記第１表示画面に一覧表示された前記複数の前記運用履歴データに含まれる前記警報履歴データのうちいずれか１の前記警報履歴データを選択する操作を受け付ける操作部とを備え、
前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを生成し、前記運用履歴データベースを更新する、
情報管理システム。
【請求項１５】
１以上の環境形成装置とネットワークを介して接続され得る端末装置を備える情報管理システムで用いられる情報管理プログラムであって、
前記端末装置は、各前記環境形成装置で発生した警報を示す警報履歴データを含む運用履歴データを蓄積する運用履歴データベースを備え、
前記運用履歴データベースに蓄積された複数の前記運用履歴データを一覧表示するための第１表示画面を生成してディスプレイに表示し、
前記第１表示画面に一覧表示された前記複数の前記運用履歴データに含まれる前記警報履歴データのうちいずれか１の前記警報履歴データを選択する操作を受け付けた場合、前記１の前記警報履歴データに対応する保守に関する情報を示す保守データを入力するための第２表示画面を前記ディスプレイに表示し、
前記第２表示画面に入力された前記保守データを前記１の前記警報履歴データと前記環境形成装置に関連付けた関連付けデータを生成し、前記運用履歴データベースを更新する、
情報管理プログラム。
【発明の詳細な説明】
【技術分野】
【０００１】
本発明は、環境形成装置に関するデータを管理する技術に関するものである。
【背景技術】
【０００２】
近年、環境試験器に関する種々のデータを管理する技術の開発が進められている。例えば、特許文献１は、環境試験器の環境状態データに加えて、ユーザの操作入力データ、操作入力データが入力された際の環境状態データ、及び環境試験器の制御対象装置に出力された制御データ等をログとして記憶させる技術を開示する。これによって、環境試験器に不具合が発生した場合、その不具合がユーザの誤操作により発生したのか、或いは環境試験器の制御対象器の誤動作により発生したのかを容易に確認することができる。
【０００３】
また、特許文献２は、環境試験を行う複数のチャンバを管理するチャンバ管理装置であって、各チャンバの識別コードを受信すると、その識別コードに対応する本体仕様型式コードを型式コード記憶部から取得し、この本体仕様型式コードを用いてチャンバに対応する本体仕様情報を仕様情報記憶部に記憶された複数の仕様情報の中から抽出する技術を開示する。これによって、チャンバ１件ごとに本体仕様情報を個別に管理する必要をなくし、仕様情報記憶部に記憶されるデータ量を低減できる。
【０００４】
ところで、環境試験器は、異常により警報を発報すると、その警報を示す警報履歴データをメモリに蓄積する機能を備えている。そのため、環境試験器の保守員はメモリに記憶された警報履歴データをモニタ画面に一覧表示させて警報の発報内容を分析することで対応の必要性を判断し、対応が必要であると判断した場合、自己の情報端末で保守予定を作成する。そして、保守予定に対する作業が終了すると、保守員は、保守実績を紙ベースで作成する。
【先行技術文献】
【特許文献】
【０００５】
【特許文献１】特許第５５８８８０７号公報
【特許文献２】特許第５９１１４５３号公報
【発明の概要】
【発明が解決しようとする課題】
【０００６】
このように、従来の構成では、保守予定又は保守実績が警報履歴データと関連付けられずに管理されていたため、保守予定又は保守実績を示す保守データがどの警報履歴データに対応しているのかの確認に手間取るという課題があった。
【０００７】
また、上記特許文献１、２は、いずれも保守データに関する開示がないので、上記の従来の構成の課題を解決できない。
【０００８】
本発明は、上記課題を解決するためになされたものであり、警報履歴データと保守データとを関連付けて管理することを容易に行う技術の提供を目的とする。
【課題を解決するための手段】
【０００９】
本発明の一態様に係る情報管理システムは、１以上の環境形成装置とネットワークを介して接続され得るサーバ及び端末装置を備える情報管理システムであって、前記サーバは、各前記環境形成装置で発生した警報を示す警報履歴データを含む運用履歴データを蓄積する運用履歴データベースを備え、前記端末装置は、前記運用履歴データベースに蓄積された複数の前記運用履歴データを前記サーバから受信する通信部と、受信された前記複数の前記運用履歴データを一覧表示するための第１表示画面を生成する表示制御部と、前記第１表示画面を表示するディスプレイと、前記第１表示画面に一覧表示された前記複数の前記運用履歴データに含まれる前記警報履歴データのうちいずれか１の前記警報履歴データを選択する操作を受け付ける操作部とを備え、前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを、前記通信部を介して前記サーバに送信し、前記サーバは、前記環境形成装置から送信された前記関連付けデータを受信し、前記運用履歴データベースを更新する。
【００１０】
また、本発明の別の一態様に係る情報管理方法は、１以上の環境形成装置とネットワークを介して接続され得るサーバ及び端末装置を備える情報管理システムにおける情報処理方法であって、前記サーバは、各前記環境形成装置で発生した警報を示す警報履歴データを含む運用履歴データを蓄積する運用履歴データベースを備え、前記端末装置は、前記運用履歴データベースに蓄積された複数の前記運用履歴データを前記サーバから受信し、受信した前記複数の前記運用履歴データを一覧表示するための第１表示画面を生成してディスプレイに表示し、前記第１表示画面に一覧表示された前記複数の前記運用履歴データに含まれる前記警報履歴データのうちいずれか１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置と関連付けた関連付けデータを前記サーバに送信し、前記サーバは、前記環境形成装置から送信された前記関連付けデータを受信し、前記運用履歴データベースを更新する。
【００１１】
また、本発明の更に別の一態様に係る端末装置は、１以上の環境形成装置とネットワークを介して接続され得るサーバ及び端末装置を備える情報管理システムで使用され得る端末装置であって、各前記環境形成装置で発生した警報を示す警報履歴データを含む運用履歴データを蓄積する運用履歴データベースに蓄積された複数の前記運用履歴データを前記サーバから受信する通信部と、受信された前記複数の前記運用履歴データを一覧表示するための第１表示画面を生成する表示制御部と、前記第１表示画面を表示するディスプレイと、前記第１表示画面に一覧表示された前記複数の前記運用履歴データに含まれる前記警報履歴データのうちいずれか１の前記警報履歴データを選択する操作を受け付ける操作部とを備え、前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを、前記通信部を介して前記サーバに送信する。
【００１２】
また、本発明の更に別の一態様に係るサーバは、１以上の環境形成装置とネットワークを介して接続され得るサーバ及び端末装置を備える情報管理システムで使用され得るサーバであって、各前記環境形成装置で発生した警報を示す警報履歴データを含む運用履歴データを蓄積する運用履歴データベースと、前記端末装置から送信された関連付けデータを受信する通信部と、受信した前記関連付けデータで前記運用履歴データベースを更新する制御部とを備え、前記関連付けデータは、１の前記警報履歴データに各前記環境形成装置の保守に関する保守データと前記環境形成装置とが関連付けられたデータである。
【００１３】
本構成によれば、第１表示画面に一覧表示された複数の運用履歴データのうちいずれか１の警報履歴データが選択されると、１の警報履歴データに対応する保守データを入力するための第２表示画面が表示される。そして、第２表示画面に入力された保守データが１の警報履歴データと環境形成装置に関連付けられた関連付けデータにより運用履歴データベースが更新される。このように、本構成は、第１表示画面から１の警報履歴データを選択する操作を入力させて第２表示画面を表示させ、第２表示画面を通じて保守データを入力させることで、警報履歴データと保守データとの対応付けを自動的に行うことができる。
【００１４】
そのため、本構成は、警報履歴データと保守データとを関連付けて管理することを容易に行うことができる。
【００１５】
上記構成において、前記表示制御部は、前記第２表示画面において、１の前記保守データに関連する関連ファイルを選択する操作が前記操作部により受け付けられた場合、選択された前記関連ファイルが前記１の前記保守データに更に関連付けられた前記関連付けデータを、前記通信部を介して前記サーバに送信することが好ましい。
【００１６】
本構成によれば、ユーザは、保守データに対して関連する関連ファイルを容易に関連付けることができる。
【００１７】
上記構成において、前記表示制御部は、前記第２表示画面において、前記警報履歴データを一覧表示する第３表示画面の表示を選択する操作が前記操作部により受け付けられた場合、前記第３表示画面を前記ディスプレイに表示させ、前記第３表示画面において１の前記警報履歴データを選択する操作が前記操作部により受け付けられた場合、前記１の前記警報履歴データを前記第２表示画面において入力された前記保守データと前記環境形成装置に関連付けた前記関連付けデータを、前記通信部を介して前記サーバに送信することが好ましい。
【００１８】
本構成によれば、ユーザは、第２表示画面を表示させた後に第３表示画面を表示させて１の警報履歴データを選択することで、その１の警報履歴データを第２表示画面を通じて入力された保守データと関連付けることができる。
【００１９】
上記構成において、前記第１表示画面は、各前記警報履歴データの内容を表示する内容表示欄を備え、前記表示制御部は、１の前記内容表示欄を選択する操作を前記操作部が受け付けた場合、前記１の前記内容表示欄に対応する警報の対応方法を説明する説明画面を前記ディスプレイに表示することが好ましい。
【００２０】
本構成によれば、第１表示画面に一覧表示された警報履歴データのうち１の警報履歴データの内容表示欄を選択させることで、警報の対応方法を説明する説明画面が表示されるので、ユーザは警報の対応方法を容易に把握することができる。
【００２１】
上記構成において、前記表示制御部は、前記第１表示画面と第４表示画面との表示が選択可能な初期画面を更に表示し、前記第４表示画面は、前記運用履歴データベースに記憶されている前記保守データを一覧表示するための表示画面であり、前記初期画面において前記第４表示画面の表示を選択する操作が前記操作部により受け付けられた場合に表示され、前記第１表示画面は、前記初期画面において、前記第１表示画面の表示を選択する操作を前記操作部が受け付けた場合に表示されることが好ましい。
【００２２】
本構成によれば、初期画面において第４表示画面の表示が選択されると、運用履歴データベースに記憶されている入力済みの保守データを一覧表示する第４表示画面が表示される。そのため、ユーザは入力済みの保守データを容易に確認できる。また、初期画面において第１表示画面の表示が選択されると第１表示画面が表示される。また、ユーザは保守データを一覧表示させたい場合は初期画面において第４表示画面を選択し、運用履歴データを一覧表示させたい場合は初期画面において第１表示画面を選択するというように、両表示画面の切り替えを容易に行うことができる。
【００２３】
上記構成において、前記第２表示画面は、前記保守が対応済みか否かを示す状態の入力欄を含むことが好ましい。
【００２４】
本構成によれば、ユーザは、第２表示画面において保守データが対応済みか否かを入力することができる。
【００２５】
上記構成において、前記運用履歴データは、更に、前記環境形成装置の動作状態を示す動作履歴データを含み、前記第１表示画面は、前記運用履歴データの種別を絞り込むための第１条件入力欄を備え、前記表示制御部は、前記第１条件入力欄に入力された種別の条件にしたがって、前記保守データ、前記警報履歴データ、及び前記動作履歴データのいずれか１又は複数を前記第１表示画面に一覧表示することが好ましい。
【００２６】
本構成によれば、ユーザは、保守データ、警報履歴データ、及び動作履歴データのうち一覧表示させたいデータのみを第１表示画面に一覧表示させることができる。
【００２７】
上記構成において、前記保守データは前記保守が対応済みか否かを示す状態の項目を含み、前記第４表示画面は、前記保守データの前記状態を絞り込むための第２条件入力欄を備え、前記表示制御部は、前記第２条件入力欄に入力された前記状態の条件にしたがって前記保守が対応済みの前記保守データ及び前記保守が未対応の前記保守データのいずれか１又は両方を前記第４表示画面に一覧表示することが好ましい。
【００２８】
本構成によれば、ユーザは対応済みの保守データ及び未対応の保守データのうち一覧表示させたい保守データのみを第４表示画面に一覧表示させることができる。
【００２９】
また、本発明の更に別の一態様に係る情報管理システムは、１以上の環境形成装置とネットワークを介して接続され得るサーバ及び端末装置を備える情報管理システムであって、前記サーバは、各前記環境形成装置で発生した警報を示す警報履歴データと各前記環境形成装置に対する保守に関する情報を示す保守データとを含む複数の運用履歴データを蓄積する運用履歴データベースを備え、前記端末装置は、前記運用履歴データベースに蓄積された複数の前記運用履歴データを前記サーバから受信する通信部と、受信された前記複数の前記運用履歴データのうち前記保守データを一覧表示するための第１表示画面を生成する表示制御部と、前記第１表示画面を表示するディスプレイと、前記第１表示画面に一覧表示された前記保守データのうちいずれか１の前記保守データを選択する操作を受け付ける操作部とを備え、前記表示制御部は、前記操作部が前記１の前記保守データを選択する操作を受け付けた場合、前記警報履歴データを一覧表示する第２表示画面を前記ディスプレイに表示し、前記第２表示画面において１の前記警報履歴データを選択する操作が前記操作部により受け付けられた場合、前記１の前記警報履歴データを前記１の保守データと前記環境形成装置に関連付けた関連付けデータを、前記通信部を介して前記サーバに送信し、前記サーバは、前記環境形成装置から送信された前記関連付けデータを受信し、前記運用履歴データベースを更新する。
【００３０】
本構成によれば、第１表示画面に一覧表示された保守データのうちいずれか１の保守データが選択されると、警報履歴データを一覧表示する第２表示画面が表示される。そして、第２表示画面において１の警報履歴データを選択する操作が入力されると、選択された１の警報履歴データが１の保守データと環境形成装置に関連付けられた関連付けデータにより運用履歴データベースが更新される。このように、本構成は、第１表示画面から１の保守データを選択する操作を入力させて第２表示画面を表示させ、第２表示画面を通じて１の警報履歴データを選択させることで、保守データと警報履歴データとの関連付けを自動的に行うことができる。
【００３１】
そのため、本構成は、保守データと警報履歴データとを関連付けて管理することを容易に行うことができる。
【００３２】
また、本発明の更に別の一態様に係る情報管理システムは１以上の環境形成装置とネットワークを介して接続され得る端末装置を備える情報管理システムであって、前記端末装置は、各前記環境形成装置で発生した警報を示す警報履歴データを含む運用履歴データを蓄積する運用履歴データベースと、複数の前記運用履歴データを一覧表示するための第１表示画面を生成する表示制御部と、前記第１表示画面を表示するディスプレイと、前記第１表示画面に一覧表示された前記複数の前記運用履歴データに含まれる前記警報履歴データのうちいずれか１の前記警報履歴データを選択する操作を受け付ける操作部とを備え、前記表示制御部は、前記操作部が前記１の前記警報履歴データを選択する操作を受け付けた場合、前記１の前記警報履歴データに対応する保守に関する情報を示す保守データを入力するための第２表示画面を前記ディスプレイに表示し、前記第２表示画面に入力された前記保守データを前記１の前記警報履歴データと前記環境形成装置に関連付けた関連付けデータを生成し、前記運用履歴データベースを更新する。
【００３３】
本構成によれば、情報管理システムがサーバを備えていない場合であっても、警報履歴データと保守データとを関連付けて管理することを容易に行うことができる。
【００３４】
なお、上記の構成は、コンピュータに情報管理方法を実行させるプログラムに適用されてもよい。この場合、プログラムは、コンピュータ読み取り可能な記録媒体に記録されて提供されてもよい。
【発明の効果】
【００３５】
本発明によれば、警報履歴データと保守データとを関連付けて管理することを容易に行うことができる。
【図面の簡単な説明】
【００３６】
【図１】本発明の実施の形態に係る情報管理システムの全体構成を示す図である。
【図２】図１に示す情報管理システムの詳細な構成を示すブロック図である。
【図３】運用履歴データベースのデータ構成を示す図である。
【図４】運用履歴画面の一例を示す図である。
【図５】保守登録画面の一例を示す図である。
【図６】警報履歴画面の一例を示す図である。
【図７】保守一覧画面の一例を示す図である。
【図８】図１に示す情報管理システムにおいて端末装置のディスプレイに表示される表示画面の遷移を示す図である。
【図９】説明画面の一例を示す図である。
【発明を実施するための形態】
【００３７】
図１は、本発明の実施の形態に係る情報管理システムの全体構成を示す図である。情報管理システムは、サーバ１と、端末装置３とを備え、環境試験器２−１，２−２（環境形成装置の一例）に接続される。サーバ１と、環境試験器２−１，２−２と、端末装置３は、ネットワークＮＴを介して相互に通信可能に接続されている。ネットワークＮＴとしては、例えば、ローカルエリアネットワークが採用される。このローカルエリアネットワークは、例えば、環境試験器２−１，２−２が設置された会社の社内ネットワークである。以下、環境試験器２−１，２−２を総称して、環境試験器２と記述する。なお、図１では、２台の環境試験器２が示されているがこれは一例であり、環境試験器２は１台であってもよいし、３台以上であってもよい。
【００３８】
サーバ１は、コンピュータで構成され、環境試験器２と定期的に通信することで、環境試験器２から種々のデータを取得し、環境試験器２を管理する。
【００３９】
環境試験器２は、試験槽内に収容された試料に対して温度サイクル試験等の種々の環境試験を実施するための装置である。試料は、例えば、スマートフォン等の電気機器、制御基板、及びイメージセンサ等の電子部品等である。
【００４０】
端末装置３は、パーソナルコンピュータで構成され、環境試験器２に対する保守の予定及び実績を示す保守データを入力するために用いられる装置である。端末装置３は、サーバ１が管理する環境試験器２に関する情報を表示することで、環境試験器２の状態をモニタリングしたり、環境試験器２に対する保守をスケジューリングしたりするために用いられる装置である。
【００４１】
図１では、ネットワークＮＴはローカルネットワークであるとして説明したが、本発明はこれに限定されず、インターネット及び携帯電話通信網等を含むワイドエリアネットワークで構成されてもよい。
【００４２】
図２は、図１に示す情報管理システムの詳細な構成を示すブロック図である。サーバ１は、運用履歴データベース１１、制御部１２、及び通信部１３を備える。運用履歴データベース１１は、例えば不揮発性のメモリで構成され、環境試験器２の状態等を示す運用履歴データを蓄積する。
【００４３】
図３は、運用履歴データベース１１のデータ構成を示す図である。運用履歴データベース１１は、装置テーブルＴ１、警報マスタテーブルＴ２、動作履歴テーブルＴ３、保守テーブルＴ４、及び警報履歴テーブルＴ５を備える。
【００４４】
装置テーブルＴ１は、サーバ１が管理する環境試験器２の機器データを記憶するテーブルであり、１つのレコードに１つの環境試験器２が対応付けられている。具体的には、装置テーブルＴ１は、「装置ＩＤ」、「ＩＰアドレス」、及び「装置名」のフィールドを備える。「装置ＩＤ」は環境試験器２の識別子である。「ＩＰアドレス」は環境試験器２の通信アドレスであり、サーバ１が所望の環境試験器２と通信する際に使用される。
【００４５】
「装置名」は環境試験器２の名称である。ここでは、「装置名」として「恒温恒湿器Ｐ−１１」というようなユーザが任意に設定した環境試験器２の名称が採用されている。なお、図１の例では、環境試験器２は２台であるため、装置テーブルＴ１は２つのレコードで構成されることになる。
【００４６】
警報マスタテーブルＴ２は、警報の種類を記憶するテーブルであり、１つのレコードに１つの警報の種類を示す警報マスタデータが対応付けられている。具体的には、警報マスタテーブルＴ２は、「警報ＩＤ」、「警報内容」、「対応方法」、及び「区分」のフィールドを備えている。「警報ＩＤ」は警報の種類を識別するための識別子である。「警報内容」は「温度過昇」といった警報の種類に対応する警報の内容を示す。「対応方法」のフィールドには警報に対する対応方法を示すデータが記憶されている。ここでは、「対応方法」のフィールドには警報に対する対応方法を説明する説明画像の画像データが記憶されている。「区分」は、例えば「異常」というような警報の属性を示す。ここでは、警報の属性として、「異常」の他、「警告」がある。
【００４７】
動作履歴テーブルＴ３は、環境試験器２の動作履歴を記憶するテーブルであり、１つのレコードに１つの動作履歴データが対応付けられている。具体的には、動作履歴テーブルＴ３は、「発生日時」、「装置ＩＤ」、「運転状態」、「運転パターン名」、「警報ＩＤ」、「測定温度」、「設定温度」、「測定湿度」、「設定湿度」、及び「区分」のフィールドを備えている。「発生日時」は「２０１８／８／８」というように動作履歴データの生成日時を示す。「装置ＩＤ」は装置テーブルＴ１の「装置ＩＤ」と同じである。「運転状態」は動作履歴データが生成されたときの環境試験器２の動作状態を示す。「運転パターン名」は動作履歴データが生成されたときに環境試験器２がどのような運転パターンで動作していたかを示す運転パターンの名称を示す。この例では、「運転パターン名」のフィールドには、環境試験器２が運転パターン名「２５℃／６０％」の運転パターンで稼働していたため、この運転パターン名が記憶されている。
【００４８】
「警報ＩＤ」は警報マスタテーブルＴ２に記憶された「警報ＩＤ」と同じである。この例では、「警報ＩＤ」のフィールドには、動作履歴データが生成されたときに発報された警報ＩＤが記憶されている。なお、動作履歴データが生成されたときに警報が発報されていない場合、「警報ＩＤ」のフィールドは、ブランクとなる。「測定温度」はこの動作履歴データが生成されたときの環境試験器２の試験槽内の温度の測定値である。ここでは、「測定温度」のフィールドには「２４．８℃」が記憶されている。「設定温度」は動作履歴データが生成されたときの環境試験器２の試験槽の温度の設定値である。ここでは、「設定温度」として２５℃が設定されている。「測定湿度」は動作履歴データが生成されたときの環境試験器２の試験槽内の湿度の測定値である。ここでは、「測定湿度」のフィールドには「６１％ｒｈ」が記憶されている。「設定湿度」は動作履歴データが生成されたときの環境試験器２の試験槽の湿度の設定値である。ここでは、「設定湿度」として「６０％ｒｈ」が設定されている。「区分」は動作履歴データの属性を示す。「区分」としては、例えば、環境試験器２の動作開始を示す「開始」、環境試験器２の動作終了を示す「終了」、及び環境試験器２が動作中であることを示す「動作中」などがある。
【００４９】
保守テーブルＴ４は、環境試験器２に対する保守の予定及び実績を示す保守データを記憶するテーブルであり、１つのレコードに１つの保守データが対応付けられている。ここで、保守には、環境試験器２のメーカーによる保守・点検の他、ユーザによる保守・点検が含まれる。
【００５０】
具体的には、保守テーブルＴ４は、「発生日時」、「保守ＩＤ」、「装置ＩＤ」、「作業区分」、「内容」、「警報ＩＤ」、「状態」、「作業開始日時」、「作業終了日時」、「備考」、及び「ファイル」のフィールドを備える。「発生日時」は保守データが生成された日時を示す。なお、「発生日時」は実際に保守が実施された日時が採用されてもよい。「保守ＩＤ」は、保守データの識別子である。「装置ＩＤ」は保守対象の環境試験器２の識別子である。「作業区分」は保守の区分を示す。ここでは、「作業区分」のフィールドには「点検」が記憶されている。「内容」は保守の内容を示す。ここでは、「内容」のフィールドには、環境試験器２のメーカーにより実施される点検であることを示す「メーカー点検」が記憶されている。
【００５１】
「警報ＩＤ」は保守データに関連付けられた警報ＩＤである。ここでは、作業区分が「点検」であり、警報への対応ではないため、「警報ＩＤ」のフィールドには警報ＩＤが関連付けられていないことを示す「ＦＡＬＳＥ」が記憶されている。なお、保守データが警報と関連付けられている場合、「警報ＩＤ」のフィールドにはその警報の警報ＩＤが記憶される。
【００５２】
「状態」は保守が対応済みであるか否かを示す。対応済みの場合、「状態」のフィールドには対応済みであることを示す「１」が記憶され、未対応の場合、「状態」のフィールドには未対応であることを示す「０」が記憶される。「作業開始日時」のフィールドは保守の開始予定日時及び実際の保守作業の開始日時を記憶する。ここでは、保守の開始予定日時として「予定：２０１８／８／６／９：００」が記憶され、実際の保守の開始日時として「実績：２０１８／８／６／９：００」が記憶されている。
【００５３】
「作業終了日時」のフィールドは保守の終了予定日時及び実際の保守の終了日時を記憶する。ここでは、保守の終了予定日時として「予定：２０１８／８／８／１７：００」が記憶され、実際の保守作業の終了日時として「実績：２０１８／８／６／１７：００」が記憶されている。
【００５４】
「備考」のフィールドには、保守データの入力者による保守に対するコメントが記憶される。ここでは、「備考」のフィールドには「定期点検」が記憶されている。「ファイル」のフィールドは保守データに関連付けられた関連ファイルを記憶する。
【００５５】
警報履歴テーブルＴ５は、環境試験器２が発報した警報を示す警報履歴データを記憶するテーブルであり、１つのレコードに１つの警報履歴データを記憶する。具体的には、警報履歴テーブルＴ５は、「発生日時」、「警報ＩＤ」、「装置ＩＤ」、「保守ＩＤ」、及び「点検」のフィールドを備えている。「発生日時」は警報履歴データの生成日時であり、警報の発報日時を示す。「警報ＩＤ」は上述した警報ＩＤと同じである。「装置ＩＤ」は警報を発報した環境試験器２の識別子である。「保守ＩＤ」は警報履歴データに関連付けられた保守データの保守ＩＤを示す。なお、警報履歴データに保守データが関連付けられていない場合、「保守ＩＤ」のフィールドには保守データが関連付けられていないことを示す「ＦＡＬＳＥ」が記憶される。「点検」のフィールドは該当する発報が点検時に保守員により意図的に発報された警報であるか否かを示すデータを記憶する。意図的に発報された警報でない場合、「点検」のフィールドには「ＴＲＵＥ」が記憶され、意図的に発報された警報である場合、「点検」のフィールドには「ＦＡＬＳＥ」が記憶される。
【００５６】
図２に参照を戻す。制御部１２は、例えば、ＣＰＵ及びＲＡＭ等を含むコンピュータで構成され、図３に示す装置テーブルＴ１〜警報履歴テーブルＴ５を管理する。具体的には、制御部１２は、通信部１３を用いて環境試験器２と定期的に通信を行うことにより、環境試験器２から動作履歴データを取得し、動作履歴テーブルＴ３に記憶する。
【００５７】
また、制御部１２は、端末装置３から送信された保守データを通信部１３を用いて受信して保守テーブルＴ４に記憶する。また、制御部１２は、通信部１３を用いて環境試験器２と定期的に通信することで、環境試験器２から警報履歴データを取得し、警報履歴テーブルＴ５に記憶する。また、制御部１２は、端末装置３において入力された機器データを通信部１３を用いて取得し、装置テーブルＴ１に記憶する。ここでは、機器データは端末装置３で入力されるとして説明したが、ユーザがサーバ１に直接機器データを入力する態様が採用されてもよい。この場合、制御部１２は、サーバ１に入力された機器データを装置テーブルＴ１に記憶すればよい。
【００５８】
制御部１２は、端末装置３において入力された警報マスタデータを通信部１３を用いて取得し、警報マスタテーブルＴ２に記憶する。ここでは、警報マスタデータは端末装置３で入力されるとして説明したが、ユーザがサーバ１に直接警報マスタデータを入力する態様が採用されてもよい。この場合、制御部１２は、サーバ１に入力された警報マスタデータを警報マスタテーブルＴ２に記憶すればよい。
【００５９】
通信部１３は、サーバ１をネットワークＮＴに接続させる通信回路で構成されている。
【００６０】
環境試験器２は、通信部２１、環境調整器２２、操作部２３、制御部２４、センサ２５、及びメモリ２６を備えている。通信部２１は、環境試験器２をネットワークＮＴに接続させる通信回路で構成されている。
【００６１】
環境調整器２２は、例えば、試験槽内を加熱する加熱器及び試験槽内を冷却する冷却器等で構成され、制御部２４の制御の下、環境試験器２の試験槽内の温度及び湿度を調整し、当該試験槽内の試験環境を調整する。
【００６２】
操作部２３は、タッチパネル及びテンキー等の入力装置で構成され、ユーザにより入力される環境試験器２に対する種々の指示を受け付ける。ここで、入力される指示は、例えば、環境試験器２に対する運転パターン名、試験槽内の設定温度、及び設定湿度等である。
【００６３】
制御部２４は、例えば、ＣＰＵ及びＲＡＭ等を含むコンピュータで構成され、環境試験器２の全体制御を司る。例えば、制御部２４は、操作部２３が受け付けたユーザからの各種指示にしたがって環境調整器２２を制御する。また、制御部２４は、センサ２５の測定値から環境試験器２の異常を検知すると警報を発報し、その警報に関する警報履歴データを生成し、メモリ２６に記憶する。
【００６４】
また、制御部２４は、環境試験器２の稼働中、動作履歴データを生成し、メモリ２６に記憶する。ここで、動作履歴データは、環境試験器２の動作開始時、設定温度及び設定湿度の変更時、及び環境試験器２の動作終了時等のタイミングで生成されてもよいし、動作中において定期的に生成されてもよい。また、制御部２４は、センサ２５の測定値から試験槽の環境（例えば温度及び湿度）が所定の環境（例えば設定温度及び設定湿度）になるように環境調整器２２を制御する。
【００６５】
また、制御部２４は、サーバ１から定期的に送信されるデータ取得要求を通信部２１が受信すると、メモリ２６に記憶された動作履歴データ及び警報履歴データであって、サーバ１に未送信の動作履歴データ及び警報履歴データを通信部２１を用いてサーバ１に送信する。
【００６６】
センサ２５は、例えば、温度センサ及び湿度センサで構成され、試験槽内の状態（例えば温度及び湿度）を測定し、制御部２４に出力する。メモリ２６は、不揮発性のメモリで構成され、動作履歴データ及び警報履歴データ等を記憶する。また、メモリ２６は、環境試験器２が実施する種々の運転パターンに関するデータを記憶する。
【００６７】
端末装置３は、通信部３１、表示制御部３２、操作部３３、及びディスプレイ３４を備える。通信部３１は、端末装置３をネットワークＮＴに接続する通信回路で構成されている。ここでは、通信部３１は、サーバ１から運用履歴データベース１１に記憶されている運用履歴データを受信する。ここで、運用履歴データは、動作履歴テーブルＴ３、保守テーブルＴ４、及び警報履歴テーブルＴ５のそれぞれが記憶する動作履歴データ、保守データ、及び警報履歴データで構成される。
【００６８】
表示制御部３２は、通信部３１が受信した運用履歴データにしたがって、運用履歴データを一覧表示するための運用履歴画面Ｇ１（図４参照：第１表示画面の一例）を生成し、ディスプレイ３４に表示する。
【００６９】
また、表示制御部３２は、操作部３３が運用履歴画面Ｇ１に表示された複数の運用履歴データに含まれる警報履歴データのうちのうち１の警報履歴データを選択する操作を受け付けた場合、１の警報履歴データに対応する保守データを入力するための保守登録画面Ｇ２（図５参照：第２表示画面の一例）をディスプレイ３４に表示する。そして、表示制御部３２は、保守登録画面Ｇ２に入力された保守データを１の警報履歴データと環境試験器２と関連付けて関連付けデータを生成し、通信部３１を介してサーバ１に送信する。ここで、関連付けデータは、例えば、保守データに警報履歴データの警報ＩＤ及び該当する環境試験器２の装置ＩＤを含ませることで構成される。
【００７０】
端末装置３から送信された関連付けデータを受信したサーバ１の制御部１２はこの関連付けデータを用いて運用履歴データベース１１を更新する処理を行う。これにより、保守登録画面Ｇ２を通じて入力された保守データと警報履歴データとは関連付けて管理されることになる。
【００７１】
操作部３３は、例えば、キーボード及びマウス等の入力装置で構成され、ユーザからの操作を受け付ける。本実施の形態では、操作部３３は、運用履歴画面Ｇ１に一覧表示された複数の警報履歴データのうちいずれか１の警報履歴データを選択する操作を受け付ける。ディスプレイ３４は、例えば、液晶ディスプレイ等の表示装置で構成される。通信部３１は、端末装置３をネットワークＮＴに接続する通信回路で構成される。
【００７２】
図４は、運用履歴画面Ｇ１の一例を示す図である。運用履歴画面Ｇ１は、条件入力欄Ｒ１１（第１条件入力欄の一例）及び一覧表示欄Ｒ１２を備える。条件入力欄Ｒ１１は、一覧表示欄Ｒ１２に一覧表示させる運用履歴データを絞り込むための検索条件を入力する欄である。
【００７３】
具体的には、条件入力欄Ｒ１１は、「発生日」、「装置名」、及び「種別」の入力欄と、「表示」ボタン及び「ＣＳＶ出力」ボタンとを備える。「発生日」の入力欄には、一覧表示対象となる運用履歴データの発生日時の期間が入力される。「装置名」の入力欄には、一覧表示対象となる運用履歴データの装置名が入力される。なお、「装置名」の入力欄の右端に配置されたプルダウンボタンが選択されると、サーバ１が管理する全ての環境試験器２の「装置名」がメニュー表示され、ユーザはメニュー表示された環境試験器２の中から運用履歴データの表示対象となる１又は複数の環境試験器２を選択する。
【００７４】
「種別」の入力欄は、一覧表示対象となる運用履歴データの種別を選択するための欄である。ここでは、「種別」として、「警報発生」、「保守作業」、及び「運転」の中から１又は複数が選択される。「警報発生」が選択された場合、警報履歴テーブルＴ５に記憶された警報履歴データが一覧表示対象とされる。「保守作業」が選択された場合、保守テーブルＴ４に記憶された保守データが一覧表示対象とされる。「運転」が選択された場合、動作履歴テーブルＴ３に記憶された動作履歴データが一覧表示対象とされる。
【００７５】
「表示」ボタンは、条件入力欄Ｒ１１に入力された検索条件で絞り込まれた運用履歴データを一覧表示欄Ｒ１２に一覧表示させるボタンである。「表示」ボタンを選択する操作が入力されると、端末装置３からサーバ１に入力された検索条件が送信され、サーバ１の制御部１２は運用履歴データベース１１の中から検索条件に合致する運用履歴データを抽出し、端末装置３に送信する。
【００７６】
「ＣＳＶ出力」ボタンは、一覧表示欄Ｒ１２に一覧表示された運用履歴データをＣＳＶデータ出力するためのボタンである。
【００７７】
一覧表示欄Ｒ１２は、条件入力欄Ｒ１１に入力された検索条件で絞り込まれた運用履歴データを一覧表示する欄であり、１行に対して１つの運用履歴データが表示され、「Ｎｏ」、「発生日時」、「積算時間」、「装置名」、「種別」、「区分」、「内容」、「点検」、及び「保守予定・実績」のフィールドを備える。以下、これらのフィールドのうち主要なものについて説明する。
【００７８】
「Ｎｏ」は一覧表示される運用履歴データの順番を示す。なお、運用履歴データは、発生日時」の降順で配列される。「発生日時」は、運用履歴データの発生日時である。「装置名」は該当する運用履歴データに対応する環境試験器２の装置名である。「種別」は「警報発生」、「保守作業」、及び「運転」のいずれかである。警報履歴データの場合は「種別」のフィールドには「警報発生」が表示され、保守データの場合は、「種別」のフィールドには「保守作業」が表示され、動作履歴データの場合は「種別」のフィールドには「運転」が表示される。
【００７９】
「区分」のフィールドには、該当する運用履歴データが警報履歴データの場合、「異常」又は「警告」が表示される。なお、「異常」又は「警告」は警報履歴データの「警報ＩＤ」から警報マスタテーブルＴ２を参照することで特定される。また、「区分」のフィールドには、該当する運用履歴データが保守データである場合、保守テーブルＴ４の「作業区分」のフィールドに記憶された内容が表示される。また、「区分」のフィールドには、該当する運用履歴データが動作履歴データである場合、動作履歴テーブルＴ３の「区分」のフィールドに記憶されたデータ（例えば、「開始」）が表示される。
【００８０】
「内容」のフィールド（内容表示欄の一例）には、該当する運用履歴データが警報履歴データの場合、警報の内容が表示される。なお、警報の内容は、該当する警報履歴データの「警報ＩＤ」から警報マスタテーブルＴ２の「警報内容」を参照することで特定される。また、該当する運用履歴データが警報履歴データの場合、「内容」のフィールドに表示されたデータにはリンクが張られており、「内容」のフィールドを選択する操作（例えば、「クリック」）が入力されると、表示制御部３２は、警報に対する具体的な対応方法を示す説明画面を別ウインドウで表示する。この説明画像は、警報マスタテーブルＴ２の「対応方法」のフィールドから読み出されて表示される。
【００８１】
図９は、説明画面の一例を示す図である。図９に示すように、説明画面は、環境試験器２を示す環境試験器画像９００を含んでいる。環境試験器画像９００は、確認が必要な内部の部品がどこなのかが認識可能に表示されている。また、環境試験器画像９００には確認が必要な部品が強調表示されると共に、確認が必要な部品の近傍に手順を示すメッセージが表示されている。これにより、ユーザは、どの部品をどのような手順で確認すればよいかを容易に認識できる。
【００８２】
図４に参照を戻す。また、「内容」のフィールドには、該当する運用履歴データが保守データの場合、当該保守データの「内容」のフィールドに記憶されたデータ（例えば、「メーカー点検」）が表示される。また、該当する運用履歴データが、動作履歴データの場合、当該動作履歴データの「運転状態」及び「運転パターン名」のフィールドに記憶されたデータ（例えば、「定値運転：２５℃／６０％」）が表示される。
【００８３】
「点検」のフィールドは、該当する運用履歴データが警報履歴データである場合に有効とされる。そして、「点検」のフィールドには、その警報履歴データに対応する警報が保守員によって点検時に意図的に発報された警報である場合、チェックマークが付される。「点検」のフィールドにチェックマークが付されると、「保守予定・実績」のフィールドの「新規登録」ボタンは無効となり、この警報に対して保守データの対応付けができなくなる。これは、点検時に意図的に発報された警報に対して保守データを関連付ける必要性はないからである。
【００８４】
「保守予定・実績」のフィールドには、「新規登録」ボタン及び「編集」ボタンが表示される。該当する運用履歴データが警報履歴データであり、「点検」のフィールドにチェックマークが付されておらず、且つ、その警報履歴データに対して保守データが関連付けられていない場合、「保守予定・実績」のフィールドには「新規登録」ボタンが表示される。
【００８５】
該当する運用履歴データが警報履歴データであり、且つ、その警報履歴データに対して保守データが関連付けられている場合、或いは該当する運用履歴データが保守データの場合、「保守予定・実績」のフィールドには、「編集」ボタンが表示される。
【００８６】
「新規登録」ボタンは、警報履歴データに保守データを関連付ける場合に選択されるボタンである。「新規登録」ボタンを選択する操作がユーザにより入力されると、保守データを入力するための保守登録画面Ｇ２（図５）が表示される。ユーザは、「新規登録」ボタンを選択して保守登録画面Ｇ２に保守データを入力することにより、警報履歴データと保守データとを関連付けることができ、両データの関連付けを容易に行うことができる。
【００８７】
「編集」ボタンは、警報履歴データに関連付けられている保守データを編集する場合に選択されるボタンである。「編集」ボタンを選択する操作がユーザにより入力されると、既に登録されている保守データを表示する保守登録画面Ｇ２（図５）が表示される。これにより、ユーザは、登録済みの保守データを修正できる。
【００８８】
図５は、保守登録画面Ｇ２の一例を示す図である。保守登録画面Ｇ２は保守データを入力するための画面である。入力欄Ｒ２１は、装置テーブルＴ１に記憶された環境試験器２の中から１の環境試験器２の「装置名」を入力する欄である。保守データの新規登録時においては、入力欄Ｒ２１の右側に設けられたプルダウンボタンを選択する操作がユーザにより入力されると、装置テーブルＴ１に記憶されている環境試験器２の「装置名」が一覧表示される。そして、その中から１の「装置名」を選択する操作がユーザにより入力されると、選択された「装置名」が入力欄Ｒ２１に表示される。一方、保守データの編集時においては、入力欄Ｒ２１には入力済みの「装置名」が表示され、その「装置名」の変更は禁止されている。入力欄Ｒ２１に「装置名」が入力されて、「登録」ボタンが選択されると、この「装置名」に対応する装置ＩＤが装置テーブルＴ１から特定され、保守テーブルＴ４の「装置ＩＤ」のフィールドに記憶される。
【００８９】
入力欄Ｒ２２は、保守データの「作業区分」を入力する欄である。作業区分としては、「点検」、「保守交換」、「故障修理」、「校正」、及び「その他」の５つがあり、これらの中から１の作業区分がユーザにより選択され、入力欄Ｒ２２に入力される。入力欄Ｒ２２に入力された作業区分は保守テーブルＴ４の「作業区分」のフィールドに記憶される。
【００９０】
「内容」の入力欄Ｒ２３は、保守データの「内容」を入力する欄であり、「メーカー点検」というような保守に関する任意のデータがユーザにより入力される。入力欄Ｒ２３に入力された「内容」は保守テーブルＴ４の「内容」のフィールドに記憶される。
【００９１】
「関連する警報」の入力欄Ｒ２４は、保守データに関連付ける警報を入力する欄である。運用履歴画面Ｇ１において「新規登録」ボタンが選択されて保守登録画面Ｇ２が表示された場合、選択された「新規登録」ボタンの行の警報履歴データについての「発生日時」及び「警報内容」等が入力欄Ｒ２４に表示される。
【００９２】
また、保守データに警報履歴データが関連付けられていない場合、入力欄Ｒ２４には何も表示されていない。この場合、入力欄Ｒ２４の右側に設けられた「警報選択」ボタンを選択する操作がユーザにより入力されると、警報履歴画面Ｇ３（図６：第３表示画面又は第２表示画面の一例）が表示される。この警報履歴画面Ｇ３において１の警報履歴データを選択する操作がユーザにより入力されると、入力欄Ｒ２４には、選択された警報履歴データについての「発生日時」及び「警報内容」等が表示される。なお、入力欄Ｒ２４に対するユーザの直接的な操作は禁止されている。入力欄Ｒ２４の右側の「×」ボタンは入力欄Ｒ２４に表示された警報を削除する場合に選択されるボタンである。入力欄Ｒ２４に警報が入力されると、その警報の警報ＩＤが警報マスタテーブルＴ２から特定され、保守テーブルＴ４の「警報ＩＤ」のフィールドに記憶される。これにより保守データと警報履歴データとが関連付けられる。
【００９３】
「状態」の入力欄Ｒ２５は、保守が対応済みであるか否かを入力する欄である。保守が未対応の場合、入力欄Ｒ２５にはユーザにより「対応予定」が選択され、保守が対応済みである場合、入力欄Ｒ２５にはユーザにより「対応済み」が選択される。すなわち、入力欄Ｒ２５において「対応予定」が選択された場合、保守登録画面Ｇ２は保守の予定の入力画面となり、入力欄Ｒ２５において「対応済み」が選択された場合、保守登録画面Ｇ２は保守の実績の入力画面となる。入力欄Ｒ２５に入力された「状態」は、保守テーブルＴ４の「状態」のフィールドに記憶される。
【００９４】
入力欄Ｒ２６は作業開始日時と作業終了日時とを入力する欄である。保守の予定が入力される場合、入力欄Ｒ２６は作業開始予定日時と作業終了予定日時との入力欄になり、保守の実績が入力される場合、入力欄Ｒ２６は実際の作業開始日時と作業終了日時との入力欄となる。入力欄Ｒ２６に入力された作業開始日時及び作業終了日時は、それぞれ、保守テーブルＴ４の「作業開始日時」及び「作業終了日時」のフィールドに記憶される。
【００９５】
「備考」の入力欄Ｒ２７は、保守に対するコメントを入力する欄である。入力欄Ｒ２７に対し、ユーザは保守に対する任意のコメントを入力できる。入力欄Ｒ２７に入力されたコメントは、保守テーブルＴ４の「備考」のフィールドに記憶される。
【００９６】
「ファイル」の入力欄Ｒ２８は、保守データに関連付ける関連ファイルを入力する欄である。関連ファイルが既に関連付けられている場合、入力欄Ｒ２８には関連済みの関連ファイルのファイル名が表示され、「開く」ボタンを選択する操作がユーザにより入力されると、表示制御部３２は、メモリから関連ファイルをダウンロードし、関連ファイルをディスプレイ３４に表示する。
【００９７】
関連ファイルを新規に関連付ける場合、「参照」ボタンを選択する操作が入力され、対象となる関連ファイルの保存場所を選択する操作が入力されると、表示制御部３２は入力欄Ｒ２８にその関連ファイルのファイル名を表示する。これにより、関連ファイルと保守データとが関連付けられる。
【００９８】
ここで、関連ファイルとしては、例えば、点検時に撮影された環境試験器２の画像、動画、及び点検時に作成された報告書等のデータが採用できる。入力欄Ｒ２８を設けることにより、ユーザは保守に関連する関連ファイルを保守データに対して容易に関連付けることができ、関連ファイルと保守データとを個別に管理する手間を省くことができる。入力欄Ｒ２８に入力された関連ファイルは、保守テーブルＴ４の「ファイル」のフィールドに記憶される。
【００９９】
「登録」ボタンは、保守登録画面Ｇ２に入力された保守データを登録するためのボタンである。「登録」ボタンを選択する操作が入力されると、保守登録画面Ｇ２に入力された保守データが保守テーブルＴ４に反映される。「キャンセル」ボタンは、保守登録画面Ｇ２に入力された保守データを保守テーブルＴ４に反映させない場合に選択されるボタンである。
【０１００】
保守登録画面Ｇ２が運用履歴画面Ｇ１経由で表示された場合において、「登録」ボタン又は「キャンセル」ボタンを選択する操作が入力された場合、画面表示は運用履歴画面Ｇ１に遷移する。また、保守登録画面Ｇ２が保守一覧画面Ｇ４（図７：第４表示画面又は第１表示画面の一例）経由で表示された場合において、「登録」ボタン又は「キャンセル」ボタンを選択する操作が入力された場合、画面表示は保守一覧画面Ｇ４に遷移する。
【０１０１】
図６は、警報履歴画面Ｇ３の一例を示す図である。警報履歴画面Ｇ３は、保守登録画面Ｇ２において保守データの入力対象となる環境試験器２が発報した警報を一覧表示する画面である。
【０１０２】
警報履歴画面Ｇ３は、一覧表示欄Ｒ３１を備える。一覧表示欄Ｒ３１は、該当する環境試験器２が発報した警報を一覧表示する欄であり、「選択」、「Ｎｏ」、「発生日時」、「種別」、及び「警報名称」のフィールドを備える。
【０１０３】
「選択」のフィールドは、一覧表示された警報の中から１の警報を選択するための選択ボタンを備える。
【０１０４】
「発生日時」のフィールドには警報の発生日時が表示される。「種別」のフィールドには警報の種別が表示される。ここでは、該当する警報履歴データの「警報ＩＤ」から警報マスタデータを参照することで特定された「区分」のフィールドに記憶されたデータ（例えば、「異常」）が「種別」のフィールドに表示される。
【０１０５】
「警報名称」のフィールドには、警報の名称が表示される。ここでは、該当する警報履歴データの「警報ＩＤ」から警報マスタテーブルＴ２を参照することで特定された「警報内容」のフィールドに記憶されたデータ（例えば、「温度過昇」）が「警報名称」のフィールドに表示される。
【０１０６】
「登録」ボタンは選択された警報を保守登録画面Ｇ２に反映させるボタンである。「キャンセル」ボタンは警報を選択しない場合又は選択した警報を保守登録画面Ｇ２に反映させない場合に入力されるボタンである。
【０１０７】
ある行の警報が選択され、「登録」ボタンを選択する操作が入力されると、画面表示が警報履歴画面Ｇ３から保守登録画面Ｇ２に遷移し、選択された警報が保守登録画面Ｇ２の入力欄Ｒ２４に表示される。また、「キャンセル」ボタンを選択する操作が入力されても画面表示は警報履歴画面Ｇ３から保守登録画面Ｇ２に遷移する。
【０１０８】
図７は、保守一覧画面Ｇ４の一例を示す図である。保守一覧画面Ｇ４は、登録済みの保守データを一覧表示する画面であり、条件入力欄Ｒ４１（第２条件入力欄の一例）及び一覧表示欄Ｒ４２を備える。条件入力欄Ｒ４１は、一覧表示欄Ｒ４２に一覧表示させる保守データを絞り込むための検索条件を入力する欄である。
【０１０９】
条件入力欄Ｒ４１は、「状態」、「作業開始日」、「作業終了日」、「装置名」、「作業区分」、及び「関連する警報」の入力欄と、「表示」ボタンとを備える。「状態」の入力欄は、「対応予定」及び「対応済み」を選択する欄である。「対応予定」が選択されると、一覧表示欄Ｒ４２には保守が未対応の保守データが一覧表示され、「対応済み」が選択されると、一覧表示欄Ｒ４２には保守が対応済みの保守データが一覧表示される。なお、「対応予定」及び「対応済み」の両方が選択された場合、一覧表示欄Ｒ４２には、保守が未対応の保守データと保守が対応済みの保守データとの両方が一覧表示される。
【０１１０】
「作業開始日」の入力欄には、一覧表示対象となる保守データの作業開始日時の期間が入力される。「作業終了日」の入力欄には、一覧表示対象となる保守データの作業終了日時の期間が入力される。なお、一覧表示欄Ｒ４２には、「作業開始日時」及び「作業終了日時」の少なくとも一方が「作業開始日」及び「作業終了日」の入力欄に入力された期間内にある保守データが表示される。
【０１１１】
「装置名」の入力欄には、一覧表示対象となる保守データの装置名が入力される。なお、「装置名」の入力欄の右端のプルダウンボタンが選択されると、サーバ１が管理する全ての環境試験器２の「装置名」がメニュー表示され、ユーザはメニュー表示された環境試験器２の中から保守データの表示対象となる環境試験器２を選択する。なお、ユーザにより選択される環境試験器２は１つでも複数でも構わない。
【０１１２】
「作業区分」の入力欄には、一覧表示対象となる保守データの「作業区分」が入力される。保守データの「作業区分」としては、「点検」、「保守交換」、「故障修理」、「校正」、及び「その他」の５つがあるため、「作業区分」の入力欄には、これらの作業区分のうちの１又は複数が選択可能に表示される。
【０１１３】
「関連する警報」の入力欄には、警報履歴データが関連付けられている保守データを一覧表示対象とするか、警報履歴データが関連付けられていない保守データを一覧表示対象とするかの選択が入力される。
【０１１４】
「表示」ボタンは、条件入力欄Ｒ４１に入力された検索条件で絞り込まれた保守データを一覧表示欄Ｒ４２に一覧表示させるボタンである。「表示」ボタンを選択する操作が入力されると、端末装置３からサーバ１に入力された検索条件が送信され、サーバ１は運用履歴データベース１１の中から検索条件に合致する運用履歴データを抽出し、端末装置３に送信する。
【０１１５】
一覧表示欄Ｒ４２は、条件入力欄Ｒ４１に入力された検索条件で絞り込まれた保守データを一覧表示する欄であり、１行に対して１つの保守データが表示され、「状態」、「作業開始日」、「作業終了日」、「積算時間」、「装置名」、「作業区分」、「内容」、及び「関連する警報」のフィールドを備える。以下、これらのフィールドのうち主要なものについて説明する。
【０１１６】
「状態」のフィールドには、該当する保守データの「状態」のフィールドに「１」が記憶されている場合、「対応済み」と表示され、該当する保守データの「状態」のフィールドに「０」が記憶されている場合、「対応予定」と表示される。「作業開始日」のフィールドには、該当する保守データの「作業開始日時」のフィールドに記憶されたデータが表示される。「作業終了日」のフィールドには、該当する保守データの「作業終了日時」のフィールドに記憶されたデータが表示される。「装置名」のフィールドには、該当する保守データに対応する環境試験器２の「装置名」が表示される。「作業区分」のフィールドには、該当する保守データの「作業区分」のフィールドに記憶された「点検」等のデータが表示される。「内容」のフィールドには該当する保守データの「内容」のフィールドに記憶された「メーカー点検」等のデータが表示される。「関連する警報」のフィールドには、該当する保守データの「警報ＩＤ」のフィールドに「ＦＡＬＳＥ」が記憶されている場合、何も表示されず、該当する保守データの「警報ＩＤ」のフィールドに警報ＩＤが記憶されている場合、その警報ＩＤに対応する警報名称が表示される。
【０１１７】
新規追加ボタンＢ４１は、保守データを新規登録する場合に選択されるボタンである。新規追加ボタンＢ４１を選択する操作が入力されると、画面表示が保守一覧画面Ｇ４から保守登録画面Ｇ２に遷移し、新規の保守データが入力される。
【０１１８】
一覧表示欄Ｒ４２に一覧表示された各保守データには「編集」と記載されたリンクＢ４２が設けられている。リンクＢ４２は、該当する保守データ、すなわち、登録済みの保守データを修正するためのボタンである。リンクＢ４２を選択する操作が入力されると、該当する保守データが記載された保守登録画面Ｇ２が表示され、この保守登録画面Ｇ２を通じてユーザにより保守データが修正される。
【０１１９】
図８は、図１に示す情報管理システムにおいて端末装置３のディスプレイ３４に表示される表示画面の遷移を示す図である。まず、端末装置３において情報管理システムのアプリケーションソフトウェアが起動されると、端末装置３の表示制御部３２は、集中モニタ画面Ｇ５をディスプレイ３４に表示する。集中モニタ画面Ｇ５には、ディスプレイ３４の画面表示を切り替える種々のタブが表示されている。タブとしては、例えば、情報管理システムの稼働状況を示す稼働状況画面（図略）を選択するタブ、運用履歴画面Ｇ１を選択するタブ、及び保守一覧画面Ｇ４を選択するタブ等がある。
【０１２０】
集中モニタ画面Ｇ５において稼働状況画面のタブを選択する操作が入力されると、ディスプレイ３４には稼働状況画面が表示される。稼働状況画面には、環境試験器２を示すアイコン等を用いて情報管理システムの稼働状況が表示される。例えば、ある環境試験器２において警報が発報されると、稼働状況画面の該当する環境試験器２のアイコンにはアノテーションマーク等が付され、警報の発報がユーザに通知される。
【０１２１】
運用履歴画面Ｇ１のタブを選択する操作が入力されると、表示制御部３２は、ディスプレイ３４の画面表示を集中モニタ画面Ｇ５から運用履歴画面Ｇ１に切り替える（Ｓ１）。一方、保守一覧画面Ｇ４のタブを選択する操作が入力されると、表示制御部３２は、ディスプレイ３４の画面表示を集中モニタ画面Ｇ５から保守一覧画面Ｇ４に切り替える（Ｓ２）。なお、集中モニタ画面Ｇ５は初期画面の一例である。
【０１２２】
運用履歴画面Ｇ１において、条件入力欄Ｒ１１に検索条件が入力され、「表示」ボタンがクリックされると、端末装置３は、検索条件をサーバ１に送信し、検索条件に該当する運用履歴データがサーバ１から送信され、表示制御部３２は、受信した運用履歴データを一覧表示欄Ｒ１２に表示する。
【０１２３】
一覧表示欄Ｒ１２に一覧表示された運用履歴データに含まれる警報履歴データのうち１の警報履歴データに対応する「新規登録」ボタンがクリックされて、１の警報履歴データを選択する操作が入力されると、表示制御部３２は、ディスプレイ３４の画面表示を運用履歴画面Ｇ１から保守登録画面Ｇ２に切り替える（Ｓ３）。
【０１２４】
この保守登録画面Ｇ２において保守データが入力され、「登録」ボタンがクリックされると、表示制御部３２は、入力された保守データを、運用履歴画面Ｇ１で選択された１の警報履歴データと、対応する環境試験器２の「装置ＩＤ」と関連付けた関連付けデータを通信部３１用いてサーバ１に送信する。サーバ１は、この関連付けデータを受信すると、この関連付けデータで運用履歴データベース１１を更新する。具体的には、サーバ１の制御部１２はこの保守データを記憶するレコードを保守テーブルＴ４に追加する。このとき、追加された保守データの「警報ＩＤ」には関連付けられた警報履歴データの警報ＩＤが記憶される。これにより、警報履歴データと保守データとの関連付けが行われる。
【０１２５】
一方、保守一覧画面Ｇ４において、条件入力欄Ｒ４１に検索条件が入力され、「表示」ボタンがクリックされると、端末装置３は、検索条件をサーバ１に送信し、検索条件に該当する保守データがサーバ１から返信され、表示制御部３２は、受信した保守データを一覧表示欄Ｒ４２に表示する。
【０１２６】
保守一覧画面Ｇ４において、新規追加ボタンＢ４１がクリックされると、表示制御部３２は、ディスプレイ３４の画面表示を保守一覧画面Ｇ４から保守登録画面Ｇ２に切り替える（Ｓ５）。
【０１２７】
保守登録画面Ｇ２において、「警報選択」ボタンがクリックされ、警報履歴画面Ｇ３の表示を選択する操作が入力されると、表示制御部３２は、ディスプレイ３４の画面表示を保守登録画面Ｇ２から警報履歴画面Ｇ３に切り替える（Ｓ４）。警報履歴画面Ｇ３に一覧表示された警報履歴データのうち１の警報履歴データが選択され、「登録」ボタンがクリックされると、表示制御部３２は、ディスプレイ３４の画面表示を警報履歴画面Ｇ３から保守登録画面Ｇ２に切り替える（Ｓ６）。これにより、保守登録画面Ｇ２の入力欄Ｒ２４には、選択された１の警報履歴データの警報名称が表示される。そして、保守登録画面Ｇ２において、保守データの入力が終了し、「登録」ボタンがクリックされると、表示制御部３２は、１の警報履歴データの警報ＩＤを、入力された保守データと、該当する環境試験器２の装置ＩＤと関連付けた関連付けデータを通信部３１を用いてサーバ１に送信する。この関連付けデータを受信したサーバ１はこの関連付けデータを用いて保守テーブルＴ４を更新する。具体的には、サーバ１の制御部１２はこの保守データを記憶するレコードを保守テーブルＴ４に追加する。このとき、追加された保守データの「警報ＩＤ」には関連付けられた警報の警報ＩＤが記憶される。これにより、警報履歴データと保守データとの関連付けが行われる。
【０１２８】
運用履歴画面Ｇ１経由で保守登録画面Ｇ２が表示された場合において、保守登録画面Ｇ２の「登録」ボタン又は「キャンセル」ボタンがクリックされると、表示制御部３２は画面表示を保守登録画面Ｇ２から運用履歴画面Ｇ１に切り替える（Ｓ７）。
【０１２９】
保守一覧画面Ｇ４経由で保守登録画面Ｇ２が表示された場合において、保守登録画面Ｇ２の「登録」ボタン又は「キャンセル」ボタンがクリックされると、表示制御部３２は、画面表示を保守登録画面Ｇ２から保守一覧画面Ｇ４に切り替える（Ｓ８）。
【０１３０】
次に、登録済みの保守データの編集について図８を用いて説明する。保守一覧画面Ｇ４において、ある１の保守データに対応する「編集」のリンクＢ４２がクリックされると、表示制御部３２は、ディスプレイ３４の画面表示を保守一覧画面Ｇ４から保守登録画面Ｇ２に切り替える（Ｓ５）。このとき、保守登録画面Ｇ２の各項目には登録済みのデータが表示されている。そして、保守登録画面Ｇ２においてある項目に対してデータが書き換えられ、「登録」ボタンがクリックされると、表示制御部３２は、入力された保守データを通信部３１を用いてサーバ１に送信する。サーバ１は、この保守データを受信すると、この保守データで保守テーブルＴ４の該当するレコードを更新する。これにより、保守登録画面Ｇ２で修正された内容が保守テーブルＴ４に反映される。
【０１３１】
また、運用履歴画面Ｇ１において、ある１の警報履歴データに対応する「編集」ボタンがクリックされると、表示制御部３２は、ディスプレイ３４の画面表示を運用履歴画面Ｇ１から保守登録画面Ｇ２に切り替える。以後、保守登録画面Ｇ２において必要な項目のデータが修正され、「登録」ボタンがクリックされると、上述したようにサーバ１により保守テーブルＴ４が更新され、修正された内容が保守テーブルＴ４に反映される。
【０１３２】
このように、本実施の形態によれば、運用履歴画面Ｇ１に一覧表示された複数の運用履歴データに含まれる警報履歴データのうちのいずれか１の警報履歴データが選択されると、１の警報履歴データに対応する保守データを入力するための保守登録画面Ｇ２が表示される。そして、保守登録画面Ｇ２に入力された保守データが１の警報履歴データと環境試験器とに関連付けられた関連付けデータが生成され、関連付けデータにより運用履歴データベース１１が更新される。このように、本実施の形態は、運用履歴画面Ｇ１から１の警報履歴データを選択する操作を入力させて保守登録画面Ｇ２を表示させ、保守登録画面Ｇ２を通じて保守データを入力させることで、警報履歴データと保守データとの関連付けを自動的に行うことができる。
【０１３３】
そのため、本実施の形態は、警報履歴データと保守データとを関連付けて管理することを容易に行うことができる。
【０１３４】
なお、本実施の形態では、運用履歴画面Ｇ１において、保守データ、警報履歴データ、及び動作履歴データを含む運用履歴データが時系列に一覧表示されるため、多種類の情報を表示することができる。また、本実施の形態では、運用履歴画面Ｇ１において、特定の環境試験器２に関する運用履歴データを絞り込んで表示することができる。また、本実施の形態では、運用履歴画面Ｇ１において、作業区分ごとに保守データを絞り込んで一覧表示欄Ｒ１２に表示することができるため、「ある特定の点検」を行った環境試験器２の一覧を表示することができる。
【０１３５】
また、本実施の形態では、動作履歴データ及び警報履歴データとが一括管理されるため、運転内容と警報情報との関係を把握することができる。
【０１３６】
（変形例）
（１）本実施の形態では、図８に示すフローにしたがって運用履歴画面Ｇ１、保守登録画面Ｇ２、警報履歴画面Ｇ３、保守一覧画面Ｇ４、及び集中モニタ画面Ｇ５は遷移したが本発明はこれに限定されない。例えば、運用履歴画面Ｇ１、保守登録画面Ｇ２、警報履歴画面Ｇ３、保守一覧画面Ｇ４、及び集中モニタ画面Ｇ５が予めディスプレイ３４上に同時に表示されており、選択により切り替わる構成が採用されてもよい。或いは、運用履歴画面Ｇ１〜集中モニタ画面Ｇ５のうち一の画面が表示された状態において選択ボタンが選択されると、同時又はポップアップの形で、選択された画面が表示されるように構成されてもよい。
【０１３７】
（２）本実施の形態では、環境形成装置の一例として環境試験器２が採用されたが、本発明はこれに限定されず、その他の装置内に特定の環境を形成する試験装置やオーブン等の熱処理装置が採用されてもよい。
【０１３８】
（３）端末装置３及びサーバ１は、ユーザが所持するものであってもよいし、環境試験器２のメーカーのものであってもよい。また、端末装置３及びサーバ１はメーカーが所持し、メーカーが環境試験器２を遠隔管理する態様が採用されてもよい。
【０１３９】
（４）上記実施の形態では、保守に関して予定と実績との両方が入力可能であったが、本発明はこれに限定されず、予定のみが入力可能であってもよいし、実績のみが入力可能であってもよい。
【０１４０】
（５）上記の実施の形態では、情報管理システムは、サーバ１と端末装置３とを備えているが、本発明はこれに限定されず、サーバ１は備えなくてもよい。この場合、図２においてサーバ１が備える運用履歴データベース１１を端末装置３のメモリに設ければよい。また、端末装置３の表示制御部３２は、サーバ１と通信せずに、自身のメモリに記憶された運用履歴データベース１１から運用履歴データを取得すればよい。また、表示制御部３２は関連付けデータをサーバ１に送信せずに、関連付けデータを用いて直接、運用履歴データベース１１を更新すればよい。
【符号の説明】
【０１４１】
１        ：サーバ
２        ：環境試験器
３        ：端末装置
１１      ：運用履歴データベース
２２      ：環境調整器
３１      ：通信部
３２      ：表示制御部
３３      ：操作部
３４      ：ディスプレイ
Ｇ１      ：運用履歴画面
Ｇ２      ：保守登録画面
Ｇ３      ：警報履歴画面
Ｇ４      ：保守一覧画面
Ｇ５      ：集中モニタ画面
ＮＴ      ：ネットワーク
Ｔ１      ：装置テーブル
Ｔ２      ：警報マスタテーブル
Ｔ３      ：動作履歴テーブル
Ｔ４      ：保守テーブル
Ｔ５      ：警報履歴テーブル
【図１】
2020038464.tif 000003
【図２】
2020038464.tif 000004
【図３】
2020038464.tif 000005
【図４】
2020038464.tif 000006
【図５】
2020038464.tif 000007
【図６】
2020038464.tif 000008
【図７】
2020038464.tif 000009
【図８】
2020038464.tif 000010
【図９】
2020038464.tif 000011